【手続補正書】
【提出日】平成16年12月3日(2004.12.3)
【手続補正１】
【補正対象書類名】特許請求の範囲
【補正対象項目名】全文
【補正方法】変更
【補正の内容】
【特許請求の範囲】
【請求項１】
クラッチアセンブリの選択的な作動を介して留め具につながる打ち込み部材に伝達されたフライホイールの運動エネルギーにより該留め具を加工物に打ち込む方法であって、
前記フライホイールの運動エネルギーを示す前記フライホイールのパラメータを検出することと、
検出された前記パラメータが目標に到達することに応答して、前記クラッチアセンブリの起動を指令することとを含む方法。
【請求項２】
前記クラッチ動作装置の状態の変化を指令することは、
前記クラッチアセンブリの作動を指令した後、前記フライホイールの前記パラメータを監視することと、
前記監視されるパラメータがしきい値に達することに応答して、前記クラッチアセンブリの作動解除を指令することと
を含む請求項１に記載の方法。
【請求項３】
前記指令された前記クラッチアセンブリの起動の時間を計測することと、
前記計測された起動時間がクラッチタイムアウト値を超えたことに応答して、前記クラッチが失敗して開いた状態であると判断することと
をさらに含む請求項２に記載の方法。
【請求項４】
ユーザ入力に応答して前記フライホイールの前記目標に向けての加速を開始することをさらに含む請求項１に記載の方法。
【請求項５】
前記ユーザ入力は連続モード許可事象であり、前記クラッチアセンブリの起動を指令することは、さらに留め具を打ち込む指令を受け取ることに応答し、
前記フライホイールの前記運動エネルギーを前記クラッチアセンブリが起動するまで維持することをさらに含む請求項４に記載の方法。
【請求項６】
前記フライホイールの前記運動エネルギーの前記保持時間を計測することと、
無操作タイムアウト値を超えたことに応答して前記フライホイールの前記運動エネルギーの維持を終了することと
をさらに含む請求項５に記載の方法。
【請求項７】
連続モードと間欠モードからなる群から選択されるモード設定にアクセスすることと、
前記アクセスされたモード設定が前記連続モードのときに、前記フライホイールの前記目標に向けての加速を開始し、かつ前記フライホイールの前記運動エネルギーを前記目標に維持することと、
ユーザ入力指令に応答して、前記アクセスされたモード設定が前記間欠モードであるときに、前記フライホイールの前記目標に向けての加速を開始することと
をさらに含む請求項1に記載の方法。
【請求項８】
前記ユーザ入力はユーザ入力指令からなり、
維持された安全信号を検出して時間を計測することと、
トリガ信号を検出することと、
前記維持された安全信号の発生が前記トリガ信号よりも有効なトリガタイムアウト値以上前でない限り、前記維持された安全信号が前記トリガ信号より
も前に発生し、かつトリガ信号と同時に存在するときにユーザ入力指令と判断することとをさらに含む請求項４に記載の方法。
【請求項９】
前記トリガ信号を検出することは前記トリガ信号を振動抑制することをさらに含む請求項８に記載の方法。
【請求項１０】
前記目標に向けての前記フライホイールの加速時間を計測することと、
モータ始動タイムアウト値以内に前記フライホイールが前記目標に向けて加速するのに失敗したことに応答して失敗状態と判断することと
をさらに含む請求項４に記載の方法。
【請求項１１】
最大加速指令の前にソフトスタート指令により前記フライホイールの加速を開始することをさらに含む請求項４に記載の方法。
【請求項１２】
前記クラッチアセンブリの起動の指令後、次の留め具を割り出すように電気的に信号で合図することをさらに含む請求項１に記載の方法。
【請求項１３】
動力装置により加速され、クラッチにより選択的に打ち込み部に結合されて運動エネルギーを留め具に伝達して該留め具を加工物に打ち込むようにする慣性部材を備える手持ち式工具用の速度コントローラであって、
前記慣性部材の運動エネルギーを示す前記慣性部材のパラメータを検出するよう動作可能なセンサと、
前記検出されたパラメータと目標値に応答して、前記クラッチに前記慣性部材の前記運動エネルギーを伝達するように指令するよう動作可能に構成された回路構成と
を備えるコントローラ。
【請求項１４】
前記手持ち式工具の前記慣性部材は、フライホールを備え、前記センサは、回転速度である前記パラメータを検出するように構成されている請求項１３に記載のコントローラ。
【請求項１５】
前記センサは、
前記フライホイール上に配置された複数の磁極と、
前記フライホイールに近接して配置されて前記複数の磁極を順次に検出する誘導性ピックアップと
を備える請求項１４に記載のコントローラ。
【請求項１６】
前記複数の磁極は、同一の選択された極性を持つ磁極の第１のリングと、該第１のリングと同心で逆の極性を持つ第２のリングとを備え、前記誘導性ピックアップは、前記第１のリングを検出するように揃えられた第１の誘導性ピックアップと前記第２のリングを検出するように揃えられた第２の誘導性ピックアップとを備える請求項１５に記載のコントローラ。
【請求項１７】
前記センサは、
入力として前記第１および第２の誘導性ピックアップを有し、出力として前記フライホイールの回転速度を表す周期信号を供給する比較器と、
前記周期信号を前記回転速度を表す振幅に変換するように構成された回路と
をさらに備える請求項１６に記載のコントローラ。
【請求項１８】
前記回路は、前記クラッチへの前記指令後、割り出し信号を生成するようにさらに構成されている請求項１３に記載のコントローラ。
【請求項１９】
留め具を加工物内に打ち込む携帯手持ち式工具であって、
留め具を収容するように構成された留め具マガジンと、
慣性部材、
前記慣性部材に機械的につながって前記慣性部材を加速する電動装置、
前記留め具マガジンの留め具を打ち込む直線運動可能な打ち込み部、および
前記慣性部材と前記打ち込み部に選択的に連結して前記慣性部材から前記留め具に運動エネルギーを伝達するクラッチ
を備える留め具打ち込みアセンブリと、
前記慣性部材の運動エネルギーを示すパラメータの検出のために動作可能なセンサと、
前記センサからの前記パラメータに応答して前記留め具打ち込みアセンブリに指令するコントローラと
を備える携帯手持ち式工具。
【請求項２０】
電池をさらに備え、前記コントローラと前記留め具打ち込みアセンブリは前記電池により給電される請求項１９に記載の携帯手持ち式工具。
【請求項２１】
回転部材を有する電動手持ち式工具用制御モジュールであって
速度調節回路と、
前記回転部材の回転速度を検出するために動作可能な速度センサと、
前記速度調節回路に応じて速度目標を設定し、前記検出された回転速度と前記速度目標の比較に応答して前記回転部材に指令するように動作可能に構成されたコントローラと
を備える制御モジュール。
【請求項２２】
前記速度センサは非接触変換器を備えることを特徴とする請求項２１に記載の制御モジュール。
【請求項２３】
前記回転部材は磁極を備え、前記速度センサは前記回転部材上の前記磁極を検出するように動作可能な誘導性ピックアップを備える請求項２１に記載の制御モジュール。
【請求項２４】
前記手持ち式工具を操作するためのユーザ入力を受け入れる機械的制御部、および
該機械的制御部と物理的につながって、前記コントローラと電気的につながる薄膜スイッチ
をさらに備える請求項２１に記載の制御モジュール。
【請求項２５】
手持ち式工具の電動回転部材を制御する方法であって、
ユーザ指令の受け取りに応答して前記回転部材を加速することと、
前記回転部材の回転速度を検出することと、
速度目標を超える前記回転部材の回転速度に応答して前記回転部材を減速することと
を含む方法。
【請求項２６】
前記手持ち式工具は安全スイッチとトリガスイッチを有する留め具駆動工具を備え、
前記ユーザ指令を受け取ることは、
前記工具のノーズアセンブリが加工物に押し当てられていることを示す前記安全スイッチからの安全信号を受け取ることと、
安全タイムアウト値にアクセスすることと、
前記スイッチが押されていることに対応した前記安全信号の期間を計測することと、
前記安全信号の前記計測された持続期間が前記安全タイムアウト値を超える前に前記トリガスイッチからのトリガ信号を受け取ることに対応して前記工具を始動して留め具を打ち込むことと
を含む請求項２５に記載の方法。
【請求項２７】
電気モータと、
前記電気モータにより回転する回転部材と、
速度調節回路と、
前記回転部材の回転速度を検出するように動作可能な速度センサと、
前記速度調節回路に応じて速度目標を設定し、前記検出された回転速度と前記速度目標の比較に応答して前記回転部材を回転するように前記電気モータに指令するように動作可能に構成されたコントローラと
を備える携帯手持ち式工具。
【請求項２８】
電動装置と、
ユーザにより位置決めされた少なくとも１つの機械的制御部と、
電気的指令に応答して前記電動装置に指令するように動作可能に構成されたコントローラと、
前記機械的制御部に機械的につながり、前記コントローラに電気的につながり、前記機械的制御部の位置決めに応答して電気的指令を与えるように動作可能な薄膜スイッチと
を備える電動手持ち式工具。